(57)【要約】【課題】梁主筋とスターラップ筋とにより組み立てられた梁鉄筋組立体に容易に取り付けることができる手摺支柱支持具を提供する。【解決手段】手摺支柱支持具１０は、複数本のスターラップ筋３２の上に配置されるベースプレート１１と、スターラップ筋３２の下側に配置される複数本の梁主筋３１を横切る方向にベースプレート１１に沿って配置されて梁主筋３１に突き当てられる突き当てプレート１３とを有し、ベースプレート１１と突き当てプレート１３は、隣り合うスターラップ筋３２の間の隙間を貫通する複数本のねじ部材により締結される。梁鉄筋組立体３０に隣り合って装着された手摺支柱支持具１０に支持された手摺支柱３３に手摺部材が取り付けられる。【選択図】図２
2020180508.tif 000002
【特許請求の範囲】
【請求項１】
複数本の梁主筋と梁主筋に結束される枠状の複数のスターラップ筋とからなる梁鉄筋組立体に装着され、手摺支柱を支持する手摺支柱支持具であって、
複数本の前記スターラップ筋の上に配置されるベースプレートと、
前記ベースプレートに設けられ、前記手摺支柱を支持する手摺取付具が設けられた支持部材と、
前記スターラップ筋の下側に配置される複数本の梁主筋を横切る方向に前記ベースプレートに沿って配置されて前記梁主筋に突き当てられる突き当てプレートと、
隣り合う前記スターラップ筋の間の隙間を貫通し、前記ベースプレートと前記突き当てプレートとを締結する複数本のねじ部材と、を有し、
前記梁鉄筋組立体に隣り合って装着された手摺支柱支持具に支持される前記手摺支柱に手摺部材が取り付けられる、手摺支柱支持具。
【請求項２】
請求項１記載の手摺支柱支持具において、
前記手摺支柱は、支柱基部と当該支柱基部の内部に軸方向に移動自在に挿入されて前記手摺部材が装着される支柱先端部とを備え、
前記支持部材は前記支柱基部が挿入されるサヤ管である、手摺支柱支持具。
【請求項３】
請求項１記載の手摺支柱支持具において、
前記手摺支柱は、上端部に手摺部材を支持する手摺取付具が設けられ、下端部に前記支持部材に締結されるクランプ具が設けられ、
前記支持部材は前記クランプ具が締結される支持台である、手摺支柱支持具。
【請求項４】
請求項１〜３のいずれか１項に記載の手摺支柱支持具において、
前記手摺部材は手摺単管または親綱である、手摺支柱支持具。
【請求項５】
請求項１〜４のいずれか１項に記載の手摺支柱支持具において、
前記ねじ部材は、前記突き当てプレートに溶接されたナットと、前記ベースプレートに形成された取付孔に挿通されて前記ナットにねじ結合されるボルトである、手摺支柱支持具。
【請求項６】
請求項５記載の手摺支柱支持具において、
前記ベースプレートに前記支持部材に対して一方側に形成された第１の取付孔に挿通される第１のボルトと、前記支持部材に対して反対側に位置させて前記ベースプレートに形成された第２の取付孔に挿通される第２のボルトと、を有する手摺支柱支持具。
【発明の詳細な説明】
【技術分野】
【０００１】
本発明は、梁鉄筋組立体に装着されて手摺支柱を支持する手摺支柱支持具に関する。
【背景技術】
【０００２】
商業施設やオフィスビル等の建築物は、鉄筋コンクリート製の躯体構造物により建築される。躯体構造物は、建築物の鉄骨柱を支持する躯体支柱と、この躯体支柱に水平に連結される躯体梁と、躯体梁に取り付けられる床スラブとを有している。このような躯体構造物を構築するには、躯体支柱を構成する柱鉄筋組立体、躯体梁を構成する梁鉄筋組立体、および床スラブを構成するスラブ鉄筋組立体がそれぞれ組み立てられる。それぞれの鉄筋組立体には型枠が配置され、型枠内にはコンクリートが流し込まれ、コンクリートと鉄筋組立体とからなる躯体構造物が構築される。
【０００３】
例えば、梁鉄筋組立体は、真っ直ぐな複数本の梁主筋と、それぞれの梁主筋にワイヤ等で結束される枠状の複数のスターラップ筋とを有している。このように、梁主筋とスターラップ筋とにより組み立てられた梁鉄筋組立体の外側に型枠を配置したり、型枠内にコンクリートを流し込んだりするために、作業者は梁鉄筋組立体の上に登って走行することがある。
【０００４】
梁鉄筋組立体の上において作業者が安全に作業を行うことができるように、手摺や親綱を梁鉄筋組立体に取り付ける必要があり、手摺や親綱は仮設用の手摺支柱に装着される。特許文献１には、上端部に親綱保持金具が設けられ、鉄骨梁のフランジ部に取り付けられる親綱支柱が記載されており、親綱支柱は手摺部材としての親綱を支持するための手摺支柱を構成している。
【先行技術文献】
【特許文献】
【０００５】
【特許文献１】特開２０１３−２２７７９３号公報
【発明の概要】
【発明が解決しようとする課題】
【０００６】
特許文献１には、ベースプレートをコンクリート部材にボルトにより取り付けるようにした形態の親綱支柱と、鉄骨梁のフランジ部に嵌め込まれるコの字形状の湾曲部が設けられた形態の親綱支柱とが記載されている。このように、鉄骨梁のフランジ部に取り付けるようにした親綱支柱を、梁鉄筋組立体に直接取り付けることができない。梁主筋とスターラップ筋とからなり、骨組み構造の梁鉄筋組立体は空隙ないし隙間があるからである。
【０００７】
手摺支柱としては、親綱を支持するための親綱支柱のみならず、棒状の手摺単管を支持するための手摺支柱がある。このような手摺支柱においても、梁鉄筋組立体に容易に取り付けることができなかった。
【０００８】
本発明の目的は、梁主筋とスターラップ筋とにより組み立てられた梁鉄筋組立体に容易に取り付けることができる手摺支柱支持具を提供することにある。
【課題を解決するための手段】
【０００９】
本発明の手摺支柱支持具は、複数本の梁主筋と梁主筋に結束される枠状の複数のスターラップ筋とからなる梁鉄筋組立体に装着され、手摺支柱を支持する手摺支柱支持具であって、複数本の前記スターラップ筋の上に配置されるベースプレートと、前記ベースプレートに設けられ、前記手摺支柱を支持する手摺取付具が設けられた支持部材と、前記スターラップ筋の下側に配置される複数本の梁主筋を横切る方向に前記ベースプレートに沿って配置されて前記梁主筋に突き当てられる突き当てプレートと、隣り合う前記スターラップ筋の間の隙間を貫通し、前記ベースプレートと前記突き当てプレートとを締結する複数本のねじ部材と、を有し、前記梁鉄筋組立体に隣り合って装着された手摺支柱支持具に支持される前記手摺支柱に手摺部材が取り付けられる。
【発明の効果】
【００１０】
手摺支柱を支持するための手摺支柱支持具は、複数本のスターラップ筋の上に配置されるベースプレートと、スターラップ筋の下側に配置される複数本の梁主筋を横切る方向にベースプレートに沿って配置されて梁主筋に突き当てられる突き当てプレートとを有している。ベースプレートを梁鉄筋組立体のスターラップ筋の上に配置し、ねじ部材によりベースプレートを突き当てプレートに締結すると、手摺支柱支持具は梁鉄筋組立体に確実に固定される。これにより、手摺支柱支持具の支持部材に手摺支柱を装着し、手摺支柱に手摺部材を取り付けることにより、容易に梁鉄筋組立体に手摺部材を装着することができ、手摺部材に力が加わっても、手摺支柱を確実に梁鉄筋組立体に保持することができる。
【図面の簡単な説明】
【００１１】
【図１】（Ａ）は一実施の形態である手摺支柱支持具を示す正面図であり、（Ｂ）は（Ａ）の右側面図である。
【図２】梁鉄筋組立体に取り付けられた手摺支柱支持具を示す斜視図である。
【図３】図２に示された手摺支柱支持具の分解斜視図である。
【図４】梁鉄筋組立体に取り付けられた手摺支柱支持具を示す正面図である。
【図５】梁鉄筋組立体に取り付けられた手摺支柱支持具に手摺単管が取り付けられた状態を示す正面図である。
【図６】（Ａ）は他の実施の形態である手摺支柱支持具を示す正面図であり、（Ｂ）は（Ａ）の右側面図である。
【図７】図６に示された手摺支柱支持具の分解斜視図である。
【図８】図６に示された手摺支柱支持具が梁鉄筋組立体に取り付けられた状態を示す斜視図である。
【発明を実施するための形態】
【００１２】
以下、本発明の実施の形態を図面に基づいて詳細に説明する。手摺支柱支持具１０は、図２〜図４に示されるように、梁鉄筋組立体３０に装着される。梁鉄筋組立体３０は、図２に示されるように、複数本の真っ直ぐな梁主筋３１を有しており、図２においては、最下段の４本の梁主筋３１（ａ）と、最上段の４本の梁主筋３１（ｂ）と、中間段の左右２本の梁主筋３１（ｃ）が示されている。最下段の梁主筋３１には符号ａがカッコ書きで示され、最上段の梁主筋３１には符号ｂがカッコ書きで示され、中間段の梁主筋３１には符号ｃがカッコ書きで示されている。最下段と最上段との間には、中間段を構成する梁主筋が複数段設けられているが、他の中間段の梁主筋３１は省略されている。図５においては、中間段の梁主筋が省略されている。
【００１３】
全ての梁主筋３１は、横断面が四辺形の範囲内に配置されており、全ての梁主筋３１により形成される四辺形の外側を覆うように、複数本の枠状のスターラップ筋３２が図示しないワイヤ等により梁主筋３１に結束される。
【００１４】
図２および図５に示される梁鉄筋組立体３０は、躯体支柱を構成する柱鉄筋組立体に取り付けられ、梁鉄筋組立体３０には床スラブを構成するスラブ鉄筋組立体が取り付けられる。それぞれの鉄筋組立体には型枠が配置され、型枠内にはコンクリートが流し込まれてコンクリートと鉄筋組立体とからなる躯体構造物が構築される。梁鉄筋組立体３０の外側に型枠を配置するときなどのように、梁鉄筋組立体３０の上に作業者が乗って種々の作業を行う場合には、図２に示されるよう、梁鉄筋組立体３０の上に手摺支柱支持具１０が装着される。手摺支柱支持具１０には、図１および図２に示されるように、手摺支柱３３が取り付けられ、手摺支柱３３は手摺支柱支持具１０により支持される。
【００１５】
手摺支柱支持具１０はほぼ四辺形のベースプレート１１を有し、ベースプレート１１は手摺支柱支持具１０が梁鉄筋組立体３０の上に装着されるときには、図２に示されるように、複数本のスターラップ筋３２の上に配置される。ベースプレート１１は、図２においては、４本のスターラップ筋３２の上に配置されるように梁主筋３１に沿う方向の長さ寸法を有し、梁鉄筋組立体３０の幅寸法の約２分の１程度の幅寸法を有している。ベースプレート１１は、図２および図４に示されるように、梁鉄筋組立体３０の一方側に寄せて配置され、配置された状態のもとでは、ベースプレート１１の一辺は梁鉄筋組立体３０の側辺よりも外方に迫り出している。
【００１６】
ベースプレート１１には支持部材としての管状の部材つまりサヤ管１２が取り付けられており、サヤ管１２はベースプレート１１の迫り出し辺に向けてずれている。スターラップ筋３２の下側に配置される複数本の最上段の梁主筋３１を横切る方向に延びて突き当てプレート１３がベースプレート１１に沿って配置されて、最上段の梁主筋３１の下面に突き当てられる。
【００１７】
図３に示されるように、ベースプレート１１には、その長さ方向中央部であって迫り出し辺側に寄せられた位置に取付孔１４ａが設けられ、サヤ管１２を介して取付孔１４ａの反対側には２つの取付孔１４ｂ、１４ｃが設けられている。これらの３つの取付孔１４ａ〜１４ｃは、サヤ管１２の中心を径方向に延びる径方向線の位置に設けられている。突き当てプレート１３には、３つの取付孔１４ａ〜１４ｃに対応させて、３つの貫通孔１５ａ〜１５ｃが設けられている。それぞれの貫通孔１５ａ〜１５ｃに対応させて、図４に示されるように、突き当てプレート１３の下面にはそれぞれナット１６ａ〜１６ｃが溶接されている。
【００１８】
第１の取付孔としての取付孔１４ａに挿通される第１のボルト１７ａがナット１６ａにねじ結合され、第２の取付孔としての取付孔１４ｃに挿通される第２のボルト１７ｂがナット１６ｃにねじ結合されている。それぞれのボルト１７ａ、１７ｂは、隣り合うスターラップ筋３２の間の隙間を貫通している。このように、ボルトとナットからなる複数本のねじ部材により、ベースプレート１１は突き当てプレート１３に締結され、ベースプレート１１と突き当てプレート１３との間でスターラップ筋３２と梁主筋３１とが強く締め付けられる。突き当てプレート１３は、図４に示されるように、梁鉄筋組立体３０の幅寸法よりも長い寸法に設定されており、最上段の４本の梁主筋３１に突き当てられる。なお、ボルトの本数は２本に限られることなく、３本以上のボルトを取り付けるようにしても良い。
【００１９】
図３および図４に示されるように、ベースプレート１１は梁鉄筋組立体の一方側にずれており、他方側の上を作業者が走行することができる。ボルト１７ａは最上段の梁主筋３１の外側を延びており、ボルト１７ｂは最上段の４本の梁主筋３１のうち中間の４本の間に延びている。最上段の梁主筋３１等のように１段を構成する梁主筋３１の本数は、梁鉄筋組立体３０のサイズ等により多数種類がある。そのため、取付孔１４ｃにボルト１７ｂを取り付けると、ボルト１７ｂに梁主筋３１が干渉する場合がある。その場合には、予備的に設けられた他の取付孔１４ｂにボルト１７ｂが取り付けられ、ボルト１７ｂはナット１６ｂにねじ結合される。
【００２０】
このように、ベースプレート１１は突き当てプレート１３に２本のボルト１７ａ、１７ｂにより締結されるが、２本以上のボルトにより両方のプレートを締結するようにしても良い。
【００２１】
図１および図２に示される手摺支柱３３は、支持部材としてのサヤ管１２に挿入される支柱基部３４と支柱基部３４の内部に軸方向に移動自在に挿入される支柱先端部３５とを備えている。支柱基部３４はサヤ管１２に設けられた止めねじ１８によりサヤ管１２に固定される。支柱先端部３５には手摺取付具としてクランパ３６が設けられており、クランパ３６により支柱先端部３５には手摺部材としての手摺単管３７が装着される。手摺単管３７の上下方向の位置を調整するために、支柱先端部３５には軸方向に間隔を隔てて複数の位置調整孔３８が設けられ、位置調整孔３８を貫通して支柱基部３４の先端面に当接する位置決めピン３９が支柱基部３４に設けられている。この明細書においては、手摺支柱支持具１０が図２に示されるように、梁鉄筋組立体３０に装着された状態を基準として、部材の上下関係が示されている。
【００２２】
次に、手摺支柱支持具１０を用いて梁鉄筋組立体３０に手摺部材としての手摺単管３７を装着する手順について説明する。
【００２３】
図３および図４に示されるように、スターラップ筋３２の上にベースプレート１１を配置し、突き当てプレート１３をベースプレート１１に沿わせるようにして梁主筋３１の下側に突き当てる。この状態のもとで、ボルト１７ａを取付孔１４ａに挿入してナット１６ａにねじ結合させ、ボルト１７ｂを取付孔１４ｃに挿入してナット１６ｃにねじ結合させる。これにより、多数の隙間がある梁鉄筋組立体３０に手摺支柱支持具１０を締結することができる。
【００２４】
図５に示されるように、複数の手摺支柱支持具１０を所定の間隔を隔てて梁鉄筋組立体３０に取り付けるとともに、それぞれの手摺支柱支持具１０に手摺支柱３３を装着し、止めねじ１８により手摺支柱３３をサヤ管１２に固定する。次いで、手摺支柱３３の上端部に設けられたクランパ３６に手摺単管３７を取り付ける。これにより、図５に示されるように、手摺支柱支持具１０に装着された手摺支柱３３に手摺単管３７が取り付けられる。手摺支柱３３は図２に示されるように、梁鉄筋組立体３０の幅方向一方側に配置されるので、作業者は幅方向他方側を走行することができる。
【００２５】
手摺支柱３３は、梁鉄筋組立体３０に強固に締結された手摺支柱支持具１０に取り付けられており、手摺単管３７は確実に梁鉄筋組立体３０に装着され、作業者は梁鉄筋組立体３０の上で安全に作業を行うことができる。手摺単管３７に代えて、手摺部材としては親綱を手摺支柱３３の上端部に取り付けることもできる。
【００２６】
図６〜図８は他の実施の形態である手摺支柱支持具１０を示している。これらの図においては、上述した手摺支柱支持具１０と共通する部材には同一の符号が付されている。
【００２７】
この手摺支柱支持具１０においては、ベースプレート１１には支持部材として支持台２１が取り付けられている。支持台２１は水平台板２２とそれの両端部に一体となった脚部２３とを備え、脚部２３の下面がベースプレート１１に固定されている。支持台２１は、門形となっており、水平台板２２の下側にはクランプ材収容空間２４が設けられている。
【００２８】
ベースプレート１１には、上述したものと同様に、３つの取付孔１４ａ〜１４ｃが設けられており、２本のボルト１７ａ、１７ｂによりベースプレート１１には突き当てプレート１３が締結される。したがって、ベースプレート１１とこれに締結される突き当てプレート１３の構造は上述したものと同一であり、上述したベースプレート１１には支持部材としてサヤ管１２が取り付けられているのに対し、図７に示されるベースプレート１１には支持台２１が支持部材として取り付けられている。
【００２９】
支持台２１には手摺支柱４１が取り付けられる。手摺支柱４１は横断面が四角形の柱部材からなり、上端部には手摺部材を支持する手摺取付具としてのフック４２が設けられている。フック４２は、図６および図８に示されるように、逆方向に開口部が設けられた２つのフック片４２ａ、２４ｂを有しており、２つのフック片４２ａ、４２ｂにより図６（Ａ）に示されるように、円形の親綱ガイド孔４３が形成される。手摺部材としての親綱４４をそれぞれのフック片４２ａ、４２ｂにより形成される親綱ガイド孔４３を通過させることにより、親綱４４がフック４２に引っ掛けられる。手摺支柱４１の上端部には連結板４５が設けられており、連結板４５に設けられた係合孔４６に親綱を連結するようにしても良い。
【００３０】
手摺支柱４１の下端部には２枚の締結板５１が取り付けられており、締結板５１には支持台２１のクランプ材収容空間２４内に入り込んで水平台板２２の内面に突き当てられるクランプ片５２が設けられている。２枚の締結板５１に連結された連結部材５３には２つのナット５４が取り付けられ、ボルト５５がそれぞれのナット５４にねじ結合されており、ボルト５５とクランプ片５２によりクランプ具が構成されている。ハンドル４７が手摺支柱４１に取り付けられており、作業者が手摺支柱４１を持ち運ぶ際にハンドル４７が使用される。したがって、手摺支柱４１はクランプ具としてのボルト５５を水平台板２２に締め付けることにより、ボルト５５とクランプ片５２とにより支持台２１に締結される。
【００３１】
手摺支柱４１が支持台２１に取り付けられると、図６（Ａ）に示されるように、手摺支柱４１は上端部が梁鉄筋組立体３０の側辺よりも外方に突出する方向に傾斜する。このように、手摺支柱４１を傾斜させると、作業者は梁鉄筋組立体３０の上を容易に走行することができる。
【００３２】
いずれの形態の手摺支柱支持具１０であっても、隙間がある骨組み構造の梁鉄筋組立体３０に容易に取り付けることができ、鉄筋コンクリート製の躯体構造物の建築作業を円滑に行うことができる。
【００３３】
本発明は前記実施の形態に限定されるものではなく、その要旨を逸脱しない範囲で種々変更可能である。
【符号の説明】
【００３４】
１０    手摺支柱支持具
１１    ベースプレート
１２    サヤ管（支持部材）
１３    突き当てプレート
１４ａ〜１４ｃ    取付孔
１５ａ〜１５ｃ    貫通孔
１６ａ〜１６ｃ    ナット
１７ａ、１７ｂ    ボルト
２１    支持台（支持部材）
２２    水平台板
２３    脚部
２４    クランプ材収容空間
３０    梁鉄筋組立体
３１    梁主筋
３２    スターラップ筋
３３    手摺支柱
３４    支柱基部
３５    支柱先端部
３６    クランパ（手摺取付具）
３７    手摺単管（手摺部材）
４１    手摺支柱
４２    フック（手摺取付具）
４４    親綱（手摺部材）
５１    締結板
５２    クランプ片
５４    ナット
５５    ボルト（クランプ具）
【図１】
2020180508.tif 000003
【図２】
2020180508.tif 000004
【図３】
2020180508.tif 000005
【図４】
2020180508.tif 000006
【図５】
2020180508.tif 000007
【図６】
2020180508.tif 000008
【図７】
2020180508.tif 000009
【図８】
2020180508.tif 000010